(57)【要約】    【課題】  コンロキャビネット近くで、腰を屈めることなく使い易い高さ位置で、コンロ作業で使用する調味料ボトル又はキッチンペーパー等の背の高い物品の取り出しと収納作業ができるキッチンキャビネット、及び内引出しを備える引出しでの長物の物品の取り出しと収納が容易な使い勝手のよいキッチンキャビネットを提供する。    【解決手段】  ワークトップ１下のコンロキャビネット３の横に設置され、上下２段の引出しを備えるキャビネットの上段側の引出し５の収納深さを、背の高い調味料ボトル又はキッチンペーパー類を立てた状態で収納できる寸法としたキッチンキャビネット、及び、ワークトップ１下に位置する最上段の引出し（外引出し）７に内引出し８を備えるキッチンキャビネットの引出し（外引出し）７を引き出した状態及び収納した状態において、引出し（外引出し）７から内引出し８の前方側にかけて物品を収納するための縦長収納部１１を設ける。    【選択図】  図１
2006230676.tif 000002
【特許請求の範囲】
【請求項１】
ワークトップ下のコンロキャビネットの横に設置され、上下２段の引出しを備えるキャビネットであって、上段側の引出しの収納深さを、背の高い調味料ボトル又はキッチンペーパー類を立てた状態で収納できる寸法としてなるキッチンキャビネット。
【請求項２】
上段側の引出しの収納深さが、３５０〜４００ｍｍの範囲である請求項１記載のキッチンキャビネット。
【請求項３】
上段側の引出しの底板上に、トレーを設けてなる請求項１又は請求項２記載のキッチンキャビネット。
【請求項４】
上段側の引出しの前方側の収納部に、収納部の間口方向及び奥行方向を区画する仕切り部材を設けてなる請求項１〜請求項３のいずれかに記載のキッチンキャビネット。
【請求項５】
ワークトップ下に位置する最上段の引出しに内引出しを備えるキッチンキャビネットであって、上記引出しを引き出した状態及び収納した状態において、上記引出しから内引出しの前方側にかけて物品を収納するための縦長収納部が設けられているキッチンキャビネット。
【請求項６】
引出しを引き出すときに、内引出しが連動して引き出される請求項５記載のキッチンキャビネット。
【請求項７】
引出しと内引出しを連動して引き出す途中において、内引出しの連動が解除される請求項６記載のキッチンキャビネット。
【請求項８】
一つのキャビネットに、請求項１〜請求項４のいずれかに記載の上段側の引出しと、請求項５〜請求項７のいずれかに記載の内引出しを備える引出しとを、並設して設けてなるキッチンキャビネット。
【発明の詳細な説明】
【技術分野】
【０００１】
本発明は、ワークトップ下のコンロキャビネットの横に設置されるキッチンキャビネット、及びワークトップ下の最上段の引出しに内引出しを備えるキッチンキャビネットに関する。
【背景技術】
【０００２】
システムキッチンにおいて、ワークトップの下に設置するベースキャビネットとしてのコンロキャビネットの横に設置されるキッチンキャビネット（調理キャビネット）は、上部に引出し、その下部に開き扉を設けるようにした構造のもの、又は、ほぼ同じ収納深さとした上下３段の引出しを設けるようにした構造のものが一般的である。
【０００３】
一方、引出しを引き出す時に、内引出しが連動して引き出される引出し装置で、引出しをキャビネット内に収納したときに、引出しの扉裏面と内引出しの前面が固定されるようにしたキッチンキャビネットの引出し装置が知られている。（特許文献１参照）。
【特許文献１】特開２００３−２８４６１４号公報
【発明の開示】
【発明が解決しようとする課題】
【０００４】
従来の技術で述べたもののうち、コンロキャビネットの横に上部を引出し、その下部を開き扉とした構造のキッチンキャビネットを設置した場合、コンロを用いた調理作業で使用する醤油、油又はソース等の調味料を入れるグリップボトルと称するプラスチック製のボトルやキッチンペーパー等の高さ寸法が３００ｍｍを越えるような比較的背の高い物品は、キャビネット下部の開き扉の収納部分に収納することになるため、その取り出し及び収納作業が腰を屈めての作業となって使い勝手が悪い問題点があり、又、収納深さがほぼ同じの３段引出を設けたキッチンキャビネットでは、引出しに上記した調味料を入れたボトル等の背の高い物品を立てた状態では収納することができず、調理作業の都度、コンロから離れた他の収納場所から取り出してきてワークトップ上に仮置きしなければならず、使い勝手が悪いという問題点があった。
【０００５】
一方、内引出しが連動して引き出される引出し装置は、引出しを閉めると引出し裏面と内引出し前面が連結される構造であるため、引出し側には内引出し下面までの高さ寸法のものしか収納することができず、菜箸、ラップフィルムあるいはレードル類等の比較的長物の物品は横に寝かせて収納せざるを得ず、取り出しにくいという問題点を有していた。
【０００６】
本発明は、調理作業で使用する背の高い物品をコンロキャビネット近くに位置する引出しに立てた状態で収納可能としてコンロ作業での作業動線の短縮と使い勝手の向上が図れるキッチンキャビネット、及び内引出しを備える引出しでの長物の物品の取り出しと収納が容易な使い勝手のよいキッチンキャビネットを提供するものである。
【課題を解決するための手段】
【０００７】
本発明は、次のものに関する。
（１）ワークトップ下のコンロキャビネットの横に設置され、上下２段の引出しを備えるキャビネットであって、上段側の引出しの収納深さを、背の高い調味料ボトル又はキッチンペーパー類を立てた状態で収納できる寸法としてなるキッチンキャビネット。
（２）上段側の引出しの収納深さが、３５０〜４００ｍｍの範囲である上記（１）記載のキッチンキャビネット。
（３）上段側の引出しの底板上に、トレーを設けてなる上記（１）又は（２）記載のキッチンキャビネット。
（４）上段側の引出しの前方側の収納部に、収納部の間口方向及び奥行方向を区画する仕切り部材を設けてなる上記（１）〜（３）のいずれかに記載のキッチンキャビネット。
（５）ワークトップ下に位置する最上段の引出しに内引出しを備えるキッチンキャビネットであって、上記引出しを引き出した状態及び収納した状態において、上記引出しから内引出しの前方側にかけて物品を収納するための縦長収納部が設けられているキッチンキャビネット。
（６）引出しを引き出すときに、内引出しが連動して引き出される上記（５）記載のキッチンキャビネット。
（７）引出しと内引出しを連動して引き出す途中において、内引出しの連動が解除される上記（６）記載のキッチンキャビネット。
（８）一つのキャビネットに、上記（１）〜（４）のいずれかに記載の上段側の引出しと、上記（５）〜（７）のいずれかに記載の内引出しを備える引出しとを、並設して設けてなるキッチンキャビネット。
（作用）
【０００８】
先ず、ワークトップ下のコンロキャビネットの横に設置されるキッチンキャビネットは、上段側の引出しの収納深さが背の高い調味料ボトル又はキッチンペーパー類を立てた状態で収納できるため、コンロキャビネット近くで、腰を屈めることなく使い易い高さ位置での物品の取り出し及び収納ができる。
【０００９】
次に、引出しを引き出した状態及び収納した状態において、引出しから内引出しの前方側にかけて物品を収納するための縦長収納部が設けられているキッチンキャビネットは、菜箸やラップフィルム等の長物を、縦長収納部を利用することで収納しやすく取り出し易い。
【発明の効果】
【００１０】
本発明の上段側の引出しの収納深さを、背の高い調味料ボトル又はキッチンペーパー類を立てた状態で収納できる寸法としてなるキッチンキャビネットによれば、コンロキャビネットの近くで、使い易い高さの位置で背の高い物品を取り出し易く且つ収納しやすい状態で収納することができて、作業動線の短縮と使い勝手が向上する。
また、本発明の引出しを引き出した状態及び収納した状態において、引出しから内引出しの前方側にかけて物品を収納するための縦長収納部が設けられているキッチンキャビネットによれば、菜箸やレードル等の長物を取り出しやすく収納しやすい立てた状態で収納できて、使い勝手が向上する。
【発明を実施するための最良の形態】
【００１１】
コンロキャビネット横に設置するキッチンキャビネットの上段側の引出しの収納深さとしては、食用油や醤油又はソース等の調味料を入れるプラスチック製のグリップボトルの高さ寸法が３００〜３３０ｍｍ程度、ラップフィルムやキッチンペーパー等の長さが３００ｍｍ前後であるところから、これらの物品を立てた状態で収納できるようにするため、３５０〜４００ｍｍ程度とするのが好ましい。
なお、上記の収納深さを深くした引出しには、食用油や醤油又はソース等の主として液体を入れた容器を収納することを想定しており、こぼれた液体調味料等の清掃性を考慮して、引出しの底面上にトレーを設けるようにするのが好ましい。
また、背の高い物品を立てた状態で安定して収納できるようにするため、上段側の引出しにおける前方側の収納部には、間口方向（幅方向）及び奥行方向を区画するための仕切り部材を設けることで、引出しを引き出す時や収納時に立てて収納した物品が倒れないようにするのが好ましい。
【００１２】
一方、引出しを引き出した状態及び収納した状態において、引出しから内引出しの前方側にかけて物品を収納するための縦長収納部を設けるキッチンキャビネットの場合、引出しを引き出すときに、一回の動作で内引出しも引き出せるように、引出しと内引出しが連動して引き出されるようにするのが好ましい。
さらに、引出しを引き出して引出しの奥側に物品を収納する時に、引出しと内引出しの連動を解除する手間が省けるように、外引出しとしての引出しを引き出す途中において自動的に内引出しの連動が解除されるようにするのがより好ましい。
【実施例】
【００１３】
以下、図１乃至図５を参照しながら本発明によるキッチンキャビネットの実施例を具体的に説明する。
図１（ａ）及び図１（ｂ）は本発明の実施例によるキッチンキャビネットを組込み設置したシステムキッチンの斜視図、図２は図１中のコンロ横に位置する引出し部分のＡ−Ａ縦断面図、図３（ａ）及び図３（ｂ）は図１中における内引出し付き引出し部分のＢ―Ｂ縦断面図、図４は本発明の実施例によるキッチンキャビネットにおけるコンロ横の引出し及び内引出し付き引出し部分の背面側からの断面図、図５は内引出し付き引出しにおける引出し（外引出し）の平面図である。
【００１４】
図１（ａ）及び（ｂ）において、本発明によるキッチンキャビネット４は、コンロ１ａ及びシンク（水槽）１ｂを備えるワークトップ（間口寸法２５５０ｍｍ、奥行寸法６５０ｍｍ）の下に設置され、ベースキャビネットとしてのシンクキャビネット２とコンロキャビネット３との間に組み込み設置される。
上記のシンクキャビネット２及びコンロキャビネット３は、それぞれのキャビネットの下部に蹴込み引出し２ａ、３ａと、その上部に引出し２ｂ、３ｂを設けた構造となっている。
【００１５】
一方、上記のコンロキャビネット３の横に設置するキッチンキャビネット４には、コンロキャビネット３横のワークトップ１下に位置する上段に引出し５が、また、この右横に後述する内引出し８付きの引出し（外引出し）７が引出し自在に設けられ、これらの引出し５及び引出し（外引出し）７の下部には、前記したシンクキャビネット２及びコンロキャビネット３の蹴込み引出し２ａ、３ａと同様の蹴込み引出し１３が設けられる。
【００１６】
図１で示したキッチンキャビネット４は、図２及び図４に示すように、左右の側板４ａ，４ａ、上記した蹴込み引出し１３の下方に位置する底板４ｂ、背面側の背板４ｃ、蹴込み引出し１３の上部の前記左右の側板４ａと４ａと間に水平方向に架け渡される中仕切板４ｄ、中仕切板４ｄ上部の空間を左右に区画す縦仕切板４ｅ（図４参照）等で構成して前面側及び上面側を開口した箱状に形成され、前面の上部には左右の側板４ａ、４ａ間に架け渡して戸当り桟４ｆと、上面の幅方向に２本の補強桟４ｇを架け渡して構成されている。
【００１７】
先ず、キッチンキャビネット４の前記コンロキャビネット３横に位置する部分に設けられる上段側の引出し５は、図２に示すように、前面側の前扉５ａ、底板５ｂ、板状の金属製からなる左右の側板５ｃ，５ｃ、背板５ｄ、管状のギャラリーバー５ｅ，５ｅから構成され、底板５ｂの幅方向の両端は、図４に示すように左右の側板５ｃ，５ｃの内側下端に形成された溝に嵌め込んで組み付けられ、ギャラリーバー５ｅ，５ｅを、左右の側板５ｃ，５ｃ上方に位置させて前扉５ａと背板５ｄとを連結することにより引出し箱としての強度を保持できるようにしている。
【００１８】
上記の引出し５には、調理作業で使用する醤油、食用油又はソース等の調味料を入れるグリップボトルと称するプラスチック製のボトルやキッチンペーパー等の高さ寸法が３００ｍｍを越える背の高い物品を、その取り出し及び収納作業が容易なように立てた状態で収納できるようにするために、実施例では、図２中に示す引出し５の収納深さＨを、３８０ｍｍの寸法となるように構成した。
図４に示すように、引出し５を収納する部分となるキッチンキャビネット４側には、左側に位置される側板４ａの内側下部と縦仕切板４ｅの内側下部とに、受けレール５ｆ、５ｆをねじで取り付け、引出し５を構成する側板５ｃ，５ｃの下部に設けられたインナーレール（符号省略）を上記の受けレール５ｆ、５ｆにスライド自在に装着して、引出し５が引き出し及び収納できるようにしている。
なお、引出し５には、上記のように食用油や醤油又はソース等の主として液体調味料を入れたボトル容器を収納することを想定しており、ボトル容器からこぼれた液体調味料等の清掃が容易なように、図４に示すように引出し５の底板５ｂ上に、取り外し可能としてトレー６を設けるようにした。
なお、図示は省略したが引出し５の前方側の収納部には、収納する調味料ボトル等の物品を区画して収納できるようにするため、後述する内引出し付き引出しの実施例の図５で示す収納部の間口方向及び奥行方向を区画する仕切り部材１２を、上記トレー６の上方に設けるようにした。
【００１９】
次に、図１中に示した内引出し８を備える引出し（外引出し）７は、図３（ａ）及び図３（ｂ）、図４に示すように、前述のコンロ横の引出し５を設けたキッチンキャビネット４に設けられ、前面側の前扉７ａ、底板７ｂ、板状の金属製からなる左右の側板７ｃ，７ｃ、背板７ｄ、管状のギャラリーバー７ｅ，７ｅから構成され、底板７ｂの幅方向の両端は左右の側板７ｃ，７ｃの内側下端に形成した溝に嵌め込んで組み付けられ、ギャラリーバー７ｅ，７ｅを、左右の側板７ｃ，７ｃ上方に位置させて前扉７ａと背板７ｄとを連結することにより引出し箱としての強度を保持できるようにした引出し（外引出し）７と、この引出し（外引出し）７の上方に位置して引き出し自在に設けられる内引出し８とからなる。
内引出し８は、引出し７（外引出し）と同様に、前板８ａ、底板８ｂ、板状の金属製からなる左右の側板８ｃ，８ｃ、背板８ｄとから上面を開口した箱状に形成されている。
上記の引出し（外引出し）７は、図４に示すように、キッチンキャビネット４の右側に位置される側板４ａの内側下部と縦仕切板４ｅの内側下部とには、引出し（外引出し）７用の受けレール７ｆ、７ｆをねじで取り付け、引出し（外引出し）７を構成する側板７ｃ，７ｃの下部に設けられたインナーレール（符号省略）を上記の受けレール７ｆ、７ｆにスライド自在に装着して引出し７（外引出し）が引き出し及び収納できるようにされ、また、内引出し８は、側板４ａの内側上部と縦仕切板４ｅの内側上部とには、内引出し８用の受けレール８ｆ、８ｆをねじで取り付け、内引出し８を構成する側板８ｃ，８ｃの下部に設けられたインナーレール（符号省略）を上記の受けレール８ｆ、８ｆにスライド自在に装着して内引出し８が引き出し及び収納できるようにされる。
【００２０】
本発明による内引出し付き引出しは、引出し（外引出し）７を引き出した状態及び収納した状態において、図３（ａ）及び（ｂ）に示すように、外引出しとしての引出し７の手前側収納部から内引出し８の前方側にかけて連続する縦方向に長い物品を収納するためのスペースとしての縦長収納部１１が形成されるように構成されている。このため、引出し（外引出し）７と内引出し８との奥行寸法は、図３（ｂ）に示すように、内引出し８の奧行寸法Ｄを４５０ｍｍとし、引出し（外引出し）７の奥行寸法を５５０ｍｍとして、図３（ｂ）に示す引出し７（外引出し）及び内引出し８を連動して引き出した状態、及び収納した状態の両方において、引出し（外引出し）７の前扉７ａ裏面側と内引出し８の前板８ａ前面側との間に開口（図中のＬ寸法）が１００ｍｍとなるように設けている。従って、このキッチンキャビネット４の使用時には、上記１００ｍｍの開口とした縦長収納部１１に、上方側から、菜箸、ラップフィルムあるいはレードル類等の比較的長物の物品を立てた状態で収納できるようにしている。
【００２１】
上述した内引出し８を備える引出し（外引出し）７は、図３及び図４に示すように、内引出し８の背板８ｄの背面に金属板からなるマグネット受け１０を取り付け、一方、引出し（外引出し）７の背板７ｄの背面にマグネット９を取り付けることにより、通常状態においてはマグネット受け１０がマグネット９に吸着され、図３（ｂ）に示すように引出し（外引出し）７を引き出す時に内引出し８も連動して引き出される。
なお、外引出しとしての引出し７の引き出しストロークは、内引出し８の引き出しストロークよりも前方側に１００ｍｍ長くしており、従って、図３（ａ）に示すように、引出し（外引出し）７を引き出す途中において、引き出しストロークの短い内引出し８の連動が解除されるようになっている。
【００２２】
なお、実施例では、図５に示すように、上記の縦長収納部１１に収納する物品を区画して収納できるように、引出し（外引出し）７の前方側の収納部に仕切り部材１２を設けている。
【００２３】
また、上記で説明した実施例では、上段側の引出しの収納深さを背の高い物品を立てた状態で収納できる寸法とした引出し５と、内引出し８を備える引出し（外引出し）７とを、一つのキャビネットに設けるようにしたが、これに限らず、内引出しを備える引出し７は図１中に示すシンクキャビネット２側に設けるようにしてもよい。
【図面の簡単な説明】
【００２４】
【図１】（ａ）及び（ｂ）はそれぞれ本発明の実施例によるキッチンキャビネットを組み込み設置したシステムキッチンの斜視図で、（ａ）はキッチンキャビネットにおけるコンロ横の引出しを引き出した状態の斜視図、（ｂ）はキッチンキャビネットおける内引出し付き引出しを引き出した状態の斜視図である。
【図２】図１中のコンロ横に位置する引出し部分のＡ−Ａ縦断面図である。
【図３】（ａ）及び（ｂ）は図１中における内引出し付き引出し部分のＢ―Ｂ縦断面図で、（ａ）は内引出しの連動を解除した状態、（ｂ）は内引出しを連動して引出した状態を示す。
【図４】本発明の実施例によるキッチンキャビネットにおけるコンロ横の引出し及び内引出し付き引出し部分の背面側からの断面図である。
【図５】内引出し付き引出しにおける引出し（外引出し）の平面図である。
【符号の説明】
【００２５】
１  ワークトップ                        １ａ  コンロ
１ｂ  シンク（水槽）                        ２  シンクキャビネット
２ａ  蹴込み引出し                        ２ｂ  引出し
３  コンロキャビネット                  ３ａ  蹴込み引出し
３ｂ  引出し                              ４  キッチンキャビネット
４ａ  側板                                ４ｂ  底板
４ｃ  背板                                ４ｄ  中仕切板
４ｅ  縦仕切板                            ４ｆ  戸当り桟
４ｇ  補強桟                                ５  引出し（コンロ横引出し）
５ａ  前扉                                ５ｂ  底板
５ｃ  側板                                ５ｄ  背板
５ｅ  ギャラリーバー                      ５ｆ  受けレール
６  トレー                                ７  引出し（外引出し）
７ａ  前扉                                ７ｂ  底板
７ｃ  側板                                ７ｄ  背板
７ｅ  ギャラリーバー                      ７ｆ  受けレール
８  内引出し                            ８ａ  前板
８ｂ  底板                                ８ｃ  側板
８ｄ  背板                                ８ｆ  受けレール
９  マグネット                          １０  マグネット受け
１１  縦長収納部                          １２  仕切り部材
１３  蹴込み引出し
【図１】
2006230676.tif 000003
【図２】
2006230676.tif 000004
【図３】
2006230676.tif 000005
【図４】
2006230676.tif 000006
【図５】
2006230676.tif 000007